(57)【要約】【課題】購入者に対して複数の商品を購入する意欲を与えて、商品の販売を促進すること。【解決手段】本発明では、商品を販売する販売者のサーバーコンピュータと商品を購入する購入者のクライアントコンピュータとを電子通信回線網を介して接続し、電子通信回線網を介して商品の販売を行う商品販売システムにおいて、サーバーコンピュータは、商品に関する情報からなる商品データと、商品毎に予め設定した付属データとを記憶するデータ記憶ステップと、クライアントコンピュータ上で商品データを表示させる商品データ表示ステップと、クライアントコンピュータ上で複数の商品の中から購入する商品を選択させる商品選択ステップと、複数の商品が選択された場合に、複数の商品の付属データの組合せに応じて当選か否かを判断する当選判断ステップとを有することにした。【選択図】図２
2007179381.tif 000002
【特許請求の範囲】
【請求項１】
商品を販売する販売者のサーバーコンピュータと商品を購入する購入者のクライアントコンピュータとを電子通信回線網を介して接続し、電子通信回線網を介して商品の販売を行う商品販売システムにおいて、
サーバーコンピュータは、
商品に関する情報からなる商品データと、商品毎に予め設定した付属データとを記憶するデータ記憶ステップと、
クライアントコンピュータ上で商品データを表示させる商品データ表示ステップと、
クライアントコンピュータ上で複数の商品の中から購入する商品を選択させる商品選択ステップと、
複数の商品が選択された場合に、複数の商品の付属データの組合せに応じて当選か否かを判断する当選判断ステップと、
を有することを特徴とする商品販売システム。
【請求項２】
サーバーコンピュータは、
商品選択ステップで選択された商品の付属データをクライアントコンピュータ上で表示させる付属データ表示ステップを、
有することを特徴とする請求項１に記載の商品販売システム。
【請求項３】
サーバーコンピュータは、付属データ表示ステップで当選となる組合せを明示する画像を表示することを特徴とする請求項１又は請求項２に記載の商品販売システム。
【請求項４】
サーバーコンピュータは、付属データとして当選となる組合せの対象となるデータと、当選となる組合せの対象とはならずに当選となる組合せを示唆するデータとを有することを特徴とする請求項１〜請求項３のいずれかに記載の商品販売システム。
【請求項５】
サーバーコンピュータは、
予め設定した期間内に複数の商品が選択された場合に、当選判断ステップを実行することを特徴とする請求項１〜請求項４のいずれかに記載の商品販売システム。
【請求項６】
サーバーコンピュータは、
複数の商品データからなる複数の商品群に区分けし、異なる商品群に属する商品の組合せでしか当選しないように設定された付属データを有することを特徴とする請求項１〜請求項５のいずれかに記載の商品販売システム。
【発明の詳細な説明】
【技術分野】
【０００１】
本発明は、商品を販売する販売者のサーバーコンピュータと商品を購入する購入者のクライアントコンピュータとを電子通信回線網を介して接続し、電子通信回線網を介して商品の販売を行う商品販売システムに関するものである。
【背景技術】
【０００２】
近年、インターネットの普及に伴って電子通信回線網を介して商品の販売を行う商品販売システムが広く行われている。
【０００３】
そして、商品の販売を促進するために、商品の購入時に購入者に対して特典を付与する商品販売システムも広く行われている。
【０００４】
従来の特典を付与する商品販売システムとしては、予め特定の商品に特典を関連付けておき、その特定の商品が購入されると購入者全員に自動的に特典が付与される商品販売システムや、商品の購入時に抽選を行ない、当選者のみに特典が付与される商品販売システムなどが実用化されている。
【発明の開示】
【発明が解決しようとする課題】
【０００５】
ところが、特定の商品の購入者全員に自動的に特典を付与する商品販売システムでは、その特定の商品を購入した者全員に特典が付与されることからおのずと価値の低い特典になってしまい、商品の購入者に対して強い購買意欲を与えることができず、商品の販売を促進することができていないのが現状である。
【０００６】
また、抽選で特典を付与する商品販売システムでは、特典の価値が高いほど当選の確率が低くなってしまい、これによっても、商品の購入者に対して強い購買意欲を与えることができず、商品の販売を促進することができていないのが現状である。
【課題を解決するための手段】
【０００７】
そこで、本発明では、抽選によらずに特定の商品を購入した者全員に特典を付与するようにしながら、特定の商品を購入する者の人数が少なくするようにして、特典の価値を低減させないようにし、商品の購入者に購買意欲を与えて、商品の販売を促進できるようにした。
【０００８】
すなわち、請求項１に係る本発明では、商品を販売する販売者のサーバーコンピュータと商品を購入する購入者のクライアントコンピュータとを電子通信回線網を介して接続し、電子通信回線網を介して商品の販売を行う商品販売システムにおいて、サーバーコンピュータは、商品に関する情報からなる商品データと、商品毎に予め設定した付属データとを記憶するデータ記憶ステップと、クライアントコンピュータ上で商品データを表示させる商品データ表示ステップと、クライアントコンピュータ上で複数の商品の中から購入する商品を選択させる商品選択ステップと、複数の商品が選択された場合に、複数の商品の付属データの組合せに応じて当選か否かを判断する当選判断ステップとを有することにした。
【０００９】
また、請求項２に係る本発明では、前記請求項１に係る本発明において、サーバーコンピュータは、商品選択ステップで選択された商品の付属データをクライアントコンピュータ上で表示させる付属データ表示ステップを有することにした。
【００１０】
また、請求項３に係る本発明では、前記請求項１又は請求項２に係る本発明において、サーバーコンピュータは、付属データ表示ステップで当選となる組合せを明示する画像を表示することにした。
【００１１】
また、請求項４に係る本発明では、前記請求項１〜請求項３のいずれかに係る本発明において、サーバーコンピュータは、付属データとして当選となる組合せの対象となるデータと、当選となる組合せの対象とはならずに当選となる組合せを示唆するデータとを有することにした。
【００１２】
また、請求項５に係る本発明では、前記請求項１〜請求項４のいずれかに係る本発明において、サーバーコンピュータは、予め設定した期間内に複数の商品が選択された場合に、当選判断ステップを実行することにした。
【００１３】
また、請求項６に係る本発明では、前記請求項１〜請求項５のいずれかに係る本発明において、サーバーコンピュータは、複数の商品データからなる複数の商品群に区分けし、異なる商品群に属する商品の組合せでしか当選しないように設定された付属データを有することにした。
【発明の効果】
【００１４】
そして、本発明では、以下に記載する効果を奏する。
【００１５】
すなわち、請求項１に係る本発明では、商品を販売する販売者のサーバーコンピュータと商品を購入する購入者のクライアントコンピュータとを電子通信回線網を介して接続し、電子通信回線網を介して商品の販売を行う商品販売システムにおいて、サーバーコンピュータは、商品に関する情報からなる商品データと、商品毎に予め設定した付属データとを記憶するデータ記憶ステップと、クライアントコンピュータ上で商品データを表示させる商品データ表示ステップと、クライアントコンピュータ上で複数の商品の中から購入する商品を選択させる商品選択ステップと、複数の商品が選択された場合に、複数の商品の付属データの組合せに応じて当選か否かを判断する当選判断ステップとを有することにしているために、複数の商品を組合わせて購入することによって当選が確定して特典が付与されることになるので、抽選によらず購入者全員に特典を付与することができ、購入者に対して複数の商品を購入する意欲を与え、商品の販売を促進することができる。
【００１６】
また、請求項２に係る本発明では、商品選択ステップで選択された商品の付属データをクライアントコンピュータ上で表示させる付属データ表示ステップを有することにしているために、購入者に対して続けて他の商品を購入する意欲を与えることができ、より一層商品の販売を促進することができる。
【００１７】
また、請求項３に係る本発明では、付属データ表示ステップで当選となる組合せを明示する画像を表示することにしているために、画像によって視覚的に理解しやすくなり、購入者に対して続けて他の商品を購入する意欲を与えることができ、より一層商品の販売を促進することができる。
【００１８】
また、請求項４に係る本発明では、付属データとして当選となる組合せの対象となるデータと、当選となる組合せの対象とはならずに当選となる組合せを示唆するデータとを有することにしているために、当選となる組合せを示唆するデータによって購入者が当選となる商品を選択しやすくなり、当選の確率を高めることができるので、より一層商品の販売を促進することができる。
【００１９】
また、請求項５に係る本発明では、予め設定した期間内に複数の商品が選択された場合に、当選判断ステップを実行することにしているために、購入者が同時に商品を購入しなくてもよくなり、購入者の負担を軽減することができ、また、期間内の購入によって当選の確率が高まるので、より一層商品の販売を促進することができる。
【００２０】
また、請求項６に係る本発明では、複数の商品データからなる複数の商品群に区分けし、異なる商品群に属する商品の組合せでしか当選しないように設定された付属データを有することにしているために、幅広い分野の商品を購入させることができ、より一層商品の販売を促進することができる。
【発明を実施するための最良の形態】
【００２１】
以下に、本発明に係る商品販売システムの具体的な構成について図面を参照しながら説明する。
【００２２】
本発明に係る商品販売システムは、図１に示すように、商品を販売する販売者のサーバーコンピュータ１と販売者から商品を購入する購入者のクライアントコンピュータ２とをインターネットに代表される電子通信回線網３を介して接続し、この電子通信回線網３を介して販売者が購入者に商品の販売を行うものである。なお、ここでいう販売者は、購入者に直接的に商品を販売する者だけに限られず、購入者への商品の販売を仲介する者も含んでいる。また、クライアントコンピュータ２は、サーバーコンピュータ１との通信が行えるものであればよく、携帯電話やＰＤＡなどの携帯端末機であってもよい。
【００２３】
サーバーコンピュータ１は、サーバーコンピュータ１に本商品販売システムを実行させるための商品販売プログラム４に基づいて制御される。この商品販売プログラム４は、サーバーコンピュータ１の内部又は外部の記憶媒体に格納されている。
【００２４】
商品販売プログラム４は、図２及び図３に示すように、まず、サーバーコンピュータ１の内部又は外部の記憶媒体に図４に示す商品データ５と図５に示す付属データ６とを記憶する（データ記憶ステップＳ１）。
【００２５】
ここで、商品データ５は、図４に示すように、販売する商品の商品名や価格や外観の写真の各データを含んでおり、複数の商品データからなる商品群に区分けされている。図４に示す例では、商品群として商品群Ａと商品群Ｂとに区分けし、商品群Ａには商品ａ、商品ｂ、商品ｃが属し、商品群Ｂには商品ｄ、商品ｅ、商品ｆ、商品ｇが属している。この商品群の区分けは、適宜設定するものであり、用途別であっても価格帯別であってもよい。
【００２６】
また、付属データ６は、図５に示すように、商品名や商品の購入に付属する内容やそれを示す画像の各データを含んでおり、商品データ５と付属データ６とで同一の商品名を用いることで商品データ５と付属データ６とが関連付けられている。図５に示す例では、付属データ６に含まれている商品の購入に付属する内容として、商品の購入によって購入者に付与される特典を擬似的に入れた宝箱と、この宝箱を開けるための鍵が含まれており、また、宝箱や鍵が付属する商品を示唆するヒントも含まれ、さらに、何ら付属するものがないもの（はずれ）も含まれている。
【００２７】
ここでは、鍵Ａと宝箱Ａとが付属する商品が組み合わされて購入された場合、及び、鍵Ｂと宝箱Ｂとが付属する商品が組み合わされて購入された場合に、各宝箱に対応する特典が購入者全員に付与されることにしている。
【００２８】
このように、付属データ６には、当選となる組合せの対象となるデータ（ここでは、鍵や宝箱）と、当選となる組合せの対象とはならずに当選となる組合せを示唆するデータ（ここでは、ヒント）とが含まれている。
【００２９】
なお、商品データ５と付属データ６は、それぞれ別個の記憶媒体又は記憶領域に記憶してもよく、同一の記憶媒体又は記憶領域に記憶してもよく、さらには、両データ5,6を一体化させて１個のデータとして記憶してもよい。また、各宝箱に対応する特典に関するデータは、付属データ６の内部に含めてもよく、付属データ６と関連付けた別個のデータとしてもよい。
【００３０】
次に商品販売プログラム４は、クライアントコンピュータ２からサーバーコンピュータ１にアクセスが行われたか否かを判断する（アクセス判断ステップＳ２）。
【００３１】
そして、クライアントコンピュータ２からサーバーコンピュータ１にアクセスが行われた場合には次のステップへと進み、アクセスが行われていない場合には継続してクライアントコンピュータ２からのアクセスを待つ。
【００３２】
クライアントコンピュータ２からサーバーコンピュータ１にアクセスが行われた場合には、商品販売プログラム４は、クライアントコンピュータ２に商品データ５の一部又は全部を表示させる（商品データ表示ステップＳ３）。
【００３３】
この商品データ表示ステップＳ３では、サーバーコンピュータ１が複数の商品データ５の一部又は全部を含む表示データ７を作成し、その表示データ７をクライアントコンピュータ２に送信し、クライアントコンピュータ２が受信した表示データ７をモニター上に表示する（図６参照。）。
【００３４】
この表示データ７は、図６に示すように、商品群ごとに商品データ５を並列して表示し、各商品データ５の下方に後述する商品選択ステップＳ４で使用される購入ボタンや購入した商品のリストや購入金額の合計などを表示するように構成している。
【００３５】
次に、商品販売プログラム４は、クライアントコンピュータ２を用いて購入者に複数の商品の中から購入する商品を選択させる（商品選択ステップＳ４）。
【００３６】
この商品選択ステップＳ４では、クライアントコンピュータ２のモニター上に表示データ７を表示させ、表示データ７の中の購入ボタンがクリック操作されるのを待ち、いずれかの商品について購入ボタンがクリック操作された場合には、クライアントコンピュータ２からサーバーコンピュータ１に購入された商品を示す選択データが送信され、サーバーコンピュータ１が受信した選択データを所定の記憶媒体の記憶領域に記憶する。このときに、サーバーコンピュータ１は、選択データとともに、購入者名や購入日や選択した商品に対応する付属データ６をも所定の記憶媒体の記憶領域に記憶する。
【００３７】
そして、商品選択ステップＳ４で購入する商品が選択された場合には、商品販売プログラム４は、選択された商品についての付属データ６の一部又は全部をクライアントコンピュータ２に表示させる（付属データ表示ステップＳ５）。
【００３８】
この付属データ表示ステップＳ５では、サーバーコンピュータ１が選択された商品の付属データ６の一部又は全部を含む表示データ８を作成し、その表示データ８をクライアントコンピュータ２に送信し、クライアントコンピュータ２が受信した表示データ８をモニター上に表示する（図７参照。）。
【００３９】
この表示データ８は、図７に示すように、選択された商品名とその商品に付属する鍵や宝箱などの内容を表示し、また、選択された商品について当選となる組合せを明示する画像（ここでは、宝箱Ａの画像）も併せて表示するように構成している。
【００４０】
また、商品ｆのように当選となる組合せの対象とはならずに当選となる組合せを示唆するデータ（ここでは、ヒント）が付属する商品が選択された場合には、表示データ８として、図８に示すように、選択された商品名と当選となる組合せを示唆するデータを表示するように構成する。
【００４１】
次に、商品販売プログラム４は、同一の購入者がクライアントコンピュータ２で所定期間内に複数の商品を購入したか否かを確認する（確認ステップＳ６）。
【００４２】
この確認ステップＳ６では、まず、同一の購入者が商品選択ステップＳ４において複数の商品を購入したか否かを判断し（購入数確認ステップＳ６−１）、複数の商品を選択していないと判断した場合には、商品データ表示ステップＳ３に戻り、一方、複数の商品を選択していると判断した場合には、同一の購入者が所定期間内に複数の商品を購入したか否かを判断し（購入期間確認ステップＳ６−２）、所定期間内ではない場合には、商品データ表示ステップＳ３に戻り、一方、所定期間内の場合には、次のステップＳ７へと進む。
【００４３】
ここで、所定期間としては、予め設定することができ、同日内としてもよく、３ヶ月以内としてもよく、また、商品ごとに期間を異ならせてもよい。この所定期間内に複数の商品が購入されたか否かを購入期間確認ステップＳ６−２で判断する際には、商品選択ステップＳ４においてサーバーコンピュータ１が予め記憶しておいた購入者名、購入日に基づいて判断する。
【００４４】
次に、商品販売プログラム４は、購入者によって選択された複数の商品の付属データ６の組合せに応じて当選か否かを判断する（当選判断ステップＳ７）。
【００４５】
ここでは、鍵Ａと宝箱Ａとが付属する商品aと商品ｃとが組み合わされて購入された場合、及び、鍵Ｂと宝箱Ｂとが付属する商品ｂと商品eとが組み合わされて購入された場合だけ当選と判断し、それ以外の商品が組み合わされて購入された場合には落選と判断する。
【００４６】
この当選判断ステップＳ７では、商品選択ステップＳ４においてサーバーコンピュータ１が予め記憶しておいた付属データ６に基づいて、その付属データ６の組合せが当選となる組合せか否かによって判断する。
【００４７】
次に、商品販売プログラム４は、当選判断ステップＳ７での判断結果をクライアントコンピュータ２に表示させる（当落表示ステップＳ８）。
【００４８】
この当落表示ステップＳ８では、サーバーコンピュータ１が表示データ９を作成し、その表示データ９をクライアントコンピュータ２に送信し、クライアントコンピュータ２が受信した表示データ９をモニター上に表示する（図９参照。）。
【００４９】
以上に説明したように、この商品販売システムでは、予め商品に関する情報からなる商品データ５と商品毎に設定した付属データ６とを記憶しておき、複数の商品の中から購入する商品が複数選択された場合に、複数の商品の付属データ６の組合せに応じて当選か否かを判断するようにしている。
【００５０】
そのため、この商品販売システムでは、複数の商品を組合わせて購入することによって当選が確定して特典が付与されることになるので、抽選によらず購入者全員に特典を付与することができ、購入者に対して複数の商品を購入する意欲を与え、商品の販売を促進することができる。
【００５１】
しかも、この商品販売システムでは、選択された商品の付属データ６をクライアントコンピュータ２上で表示させるようにしているために、購入者に対して続けて他の商品を購入する意欲を与えることができ、より一層商品の販売を促進することができる。
【００５２】
また、この商品販売システムでは、当選となる組合せを明示する画像を表示することにしているために、画像によって視覚的に理解しやすくなり、購入者に対して続けて他の商品を購入する意欲を与えることができ、より一層商品の販売を促進することができる。
【００５３】
また、この商品販売システムでは、付属データ６として当選となる組合せの対象となるデータと、当選となる組合せの対象とはならずに当選となる組合せを示唆するデータとを有することにしているために、当選となる組合せを示唆するデータによって購入者が当選となる商品を選択しやすくなり、当選の確率を高めることができるので、より一層商品の販売を促進することができる。
【００５４】
また、この商品販売システムでは、予め設定した期間内に複数の商品が選択された場合に当選か否かの判断を実行することにしているために、購入者が同時に商品を購入しなくてもよくなり、購入者の負担を軽減することができ、また、期間内の購入によって当選の確率が高まるので、より一層商品の販売を促進することができる。
【００５５】
また、この商品販売システムでは、複数の商品データ５からなる複数の商品群に区分けし、異なる商品群に属する商品の組合せでしか当選しないように設定された付属データ６を有することにしているために、幅広い分野の商品を購入させることができ、より一層商品の販売を促進することができる。
【図面の簡単な説明】
【００５６】
【図１】電子通信回線網を示す模式図。
【図２】商品販売プログラムを示すフローチャート。
【図３】商品販売システムにおける動作を示す説明図。
【図４】商品データを示す説明図。
【図５】付属データを示す説明図。
【図６】表示データを示す説明図。
【図７】表示データを示す説明図。
【図８】表示データを示す説明図。
【図９】表示データを示す説明図。
【符号の説明】
【００５７】
１  サーバーコンピュータ
２  クライアントコンピュータ
３  電子通信回線網
４  商品販売プログラム
５  商品データ
６  付属データ
7,8,9  表示データ
【図１】
2007179381.tif 000003
【図２】
2007179381.tif 000004
【図３】
2007179381.tif 000005
【図４】
2007179381.tif 000006
【図５】
2007179381.tif 000007
【図６】
2007179381.tif 000008
【図７】
2007179381.tif 000009
【図８】
2007179381.tif 000010
【図９】
2007179381.tif 000011